【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】  トルク検出器に設けられたビット結合部に密着嵌合する角形段部を一体的に備えるねじ孔付きシャフト受台と、
前記受台の中心部に設けたねじ孔にその一端部側を進退自在に螺合し、他端部側に回転締付工具の出力軸を結合するように構成したねじ溝付きシャフトと、
前記シャフトを囲繞するようにしてこれと同心的に挿通配置される圧縮コイルばねと、
前記シャフトに対して前記受台とは反対側に位置し、前記受台との間において前記圧縮コイルばねを弾力的に挾持するフランジ部と、
前記シャフトに遊嵌すると共に、前記フランジ部との間にスラストベアリングを介してこれらを囲繞保持して、前記フランジ部に対し滑動自在に当接配置したベアリング受と、
前記受台と前記フランジ部より若干上方位置との間に亘って前記圧縮コイルばねを跨ぐようにして、それぞれ両端部を前記シャフトに挿通配置し、前記シャフトの位置を規制するシャフト位置規制手段とからなり、
前記シャフト位置規制手段は、前記シャフトに挿通配置された前記ベアリング受と前記圧縮コイルばねとの外側に沿って延在し、一端部側を前記受台に固定すると共に、他端部側を前記シャフトが貫通するように側面コ字状に形成した支持板形囲繞部材から構成してなることを特徴とするトルク検出器用ビット・アダプタ。
【請求項２】  トルク検出器に設けられたビット結合部に密着嵌合する角形段部を一体的に備えるねじ孔付きシャフト受台と、
前記受台の中心部に設けたねじ孔にその一端部側を進退自在に螺合し、他端部側に回転締付工具の出力軸を結合するように構成したねじ溝付きシャフトと、
前記シャフトを囲繞するようにしてこれと同心的に挿通配置される圧縮コイルばねと、
前記シャフトに対して前記受台とは反対側に位置し、前記受台との間において前記圧縮コイルばねを弾力的に挾持するフランジ部と、
前記シャフトに遊嵌すると共に、前記フランジ部との間にスラストベアリングを介してこれらを囲繞保持して、前記フランジ部に対し滑動自在に当接配置したベアリング受と、
前記受台と前記フランジ部より若干上方位置との間に亘って前記圧縮コイルばねを跨ぐようにして、それぞれ両端部を前記シャフトに挿通配置し、前記シャフトの位置を規制するシャフト位置規制手段とからなり、
前記シャフト位置規制手段は、前記シャフトに挿通配置された前記ベアリング受と前記圧縮コイルばねとの外側に沿って延在し、一端部側を前記受台に固定すると共に、他端部側を前記シャフトが貫通するように形成した左右対称の支持板形囲繞部材から構成してなることを特徴とするトルク検出器用ビット・アダプタ。
【請求項３】  トルク検出器に設けられたビット結合部に密着嵌合する角形段部を一体的に備えるねじ孔付きシャフト受台と、
前記受台の中心部に設けたねじ孔にその一端部側を進退自在に螺合し、他端部側に回転締付工具の出力軸を結合するように構成したねじ溝付きシャフトと、
前記シャフトを囲繞するようにしてこれと同心的に挿通配置される圧縮コイルばねと、
前記シャフトに対して前記受台とは反対側に位置し、前記受台との間において前記圧縮コイルばねを弾力的に挾持するフランジ部と、
前記シャフトに遊嵌すると共に、前記フランジ部との間にスラストベアリングを介してこれらを囲繞保持して、前記フランジ部に対し滑動自在に当接配置したベアリング受と、
前記受台と前記フランジ部より若干上方位置との間に亘って前記圧縮コイルばねを跨ぐようにして、それぞれ両端部を前記シャフトに挿通配置し、前記シャフトの位置を規制するシャフト位置規制手段とからなり、
前記シャフト位置規制手段は、前記シャフトに挿通配置された前記ベアリング受と前記圧縮コイルばねとの外周を囲繞し、一端部側を前記受台に固定すると共に、他端部側を前記シャフトが貫通するように形成した円筒形囲繞部材からなり、前記円筒形囲繞部材の一側部に監視窓を設けた構成からなることを特徴とするトルク検出器用ビット・アダプタ。
【請求項４】  トルク検出器によって検出されるように、回転締付工具の正確なトルクを得るためにトルク検出器のビット結合部に対し、回転締付工具の出力軸を介して結合することができるビット・アダプタであって、
ビット結合部との間での回転を阻止し、トルク検出器のビット結合部に結合するように対応配置された結合部を含み、雌ねじを有するねじ孔を中心位置に設けたシャフト受台と、
前記ねじ孔の雌ねじに適合する雄ねじを有し、その一端部側を前記ねじ孔に伸縮自在に結合し、他端部側を相互間での回転を阻止するように回転締付工具の出力軸と結合配置され、さらに前記一端部側と他端部側との間の軸上に位置するフランジ部を有するねじ溝付きシャフトと、
前記ねじ溝付きシャフトに対し同軸に配置され、前記フランジ部と前記シャフト受台との間を拘束保持し、前記シャフト受台とねじ結合されるねじ溝付きシャフトの回転によってシャフト受台方向への前記フランジ部の移動を圧縮可能とする圧縮コイルばねと、
前記ねじ溝付きシャフトおよび前記シャフト受台に関する圧縮コイルばねの位置決め制御のため、前記シャフト受台およびねじ溝付きシャフトのフランジ部およびその他端部側との間における位置にそれぞれ跨るシャフト位置規制手段と、から構成してなることを特徴とするトルク検出器用ビット・アダプタ。
【手続補正２】
【補正対象書類名】明細書
【補正対象項目名】０００６
【補正方法】変更
【補正の内容】
【０００６】
図６および図７は、前述した従来のビット・アダプタ（回転慣性力緩衝器）の概略構成を示すものである。図６および図７において、ビット・アダプタ１０は、トルク検出器２０に設けられたビット結合部２２に形成された特殊な開口形状部分に、密着嵌合する角形段部１２を一体的に備えるねじ孔付きシャフト受台１３と、この受台１３の中心部に設けたねじ孔１３ａにその一端部側を進退自在に螺合するように構成したねじ溝付きシャフト１４と、このシャフト１４を囲繞するようにしてこれと同心的に挿通配置される圧縮コイルばね１５と、前記シャフト１４に対して受台１３とは反対側に位置し前記受台１３と共に前記圧縮コイルばね１５を挾持するフランジ部１６とから基本的に構成されている。
【手続補正３】
【補正対象書類名】明細書
【補正対象項目名】００１６
【補正方法】変更
【補正の内容】
【００１６】
【課題を解決するための手段】
前記の目的を達成するため、本発明の請求項１に係るトルク検出器用ビット・アダプタは、トルク検出器に設けられたビット結合部に密着嵌合する角形段部を一体的に備えるねじ孔付きシャフト受台と、
前記受台の中心部に設けたねじ孔にその一端部側を進退自在に螺合し、他端部側に回転締付工具の出力軸を結合するように構成したねじ溝付きシャフトと、
前記シャフトを囲繞するようにしてこれと同心的に挿通配置される圧縮コイルばねと、
前記シャフトに対して前記受台とは反対側に位置し、前記受台との間において前記圧縮コイルばねを弾力的に挾持するフランジ部と、
前記シャフトに遊嵌すると共に、前記フランジ部との間にスラストベアリングを介してこれらを囲繞保持して、前記フランジ部に対し滑動自在に当接配置したベアリング受と、
前記受台と前記フランジ部より若干上方位置との間に亘って前記圧縮コイルばねを跨ぐようにして、それぞれ両端部を前記シャフトに挿通配置し、前記シャフトの位置を規制するシャフト位置規制手段とからなり、
前記シャフト位置規制手段は、前記シャフトに挿通配置された前記ベアリング受と前記圧縮コイルばねとの外側に沿って延在し、一端部側を前記受台に固定すると共に、他端部側を前記シャフトが貫通するように側面コ字状に形成した支持板形囲繞部材から構成してなることを特徴とする。
【手続補正４】
【補正対象書類名】明細書
【補正対象項目名】００１７
【補正方法】変更
【補正の内容】
【００１７】
また、本発明の請求項２に係るトルク検出器用ビット・アダプタは、トルク検出器に設けられたビット結合部に密着嵌合する角形段部を一体的に備えるねじ孔付きシャフト受台と、
前記受台の中心部に設けたねじ孔にその一端部側を進退自在に螺合し、他端部側に回転締付工具の出力軸を結合するように構成したねじ溝付きシャフトと、
前記シャフトを囲繞するようにしてこれと同心的に挿通配置される圧縮コイルばねと、
前記シャフトに対して前記受台とは反対側に位置し、前記受台との間において前記圧縮コイルばねを弾力的に挾持するフランジ部と、
前記シャフトに遊嵌すると共に、前記フランジ部との間にスラストベアリングを介してこれらを囲繞保持して、前記フランジ部に対し滑動自在に当接配置したベアリング受と、
前記受台と前記フランジ部より若干上方位置との間に亘って前記圧縮コイルばねを跨ぐようにして、それぞれ両端部を前記シャフトに挿通配置し、前記シャフトの位置を規制するシャフト位置規制手段とからなり、
前記シャフト位置規制手段は、前記シャフトに挿通配置された前記ベアリング受と前記圧縮コイルばねとの外側に沿って延在し、一端部側を前記受台に固定すると共に、他端部側を前記シャフトが貫通するように形成した左右対称の支持板形囲繞部材から構成してなることを特徴とする。
【手続補正５】
【補正対象書類名】明細書
【補正対象項目名】００１８
【補正方法】変更
【補正の内容】
【００１８】
さらに、本発明の請求項３に係るトルク検出器用ビット・アダプタは、トルク検出器に設けられたビット結合部に密着嵌合する角形段部を一体的に備えるねじ孔付きシャフト受台と、
前記受台の中心部に設けたねじ孔にその一端部側を進退自在に螺合し、他端部側に回転締付工具の出力軸を結合するように構成したねじ溝付きシャフトと、
前記シャフトを囲繞するようにしてこれと同心的に挿通配置される圧縮コイルばねと、
前記シャフトに対して前記受台とは反対側に位置し、前記受台との間において前記圧縮コイルばねを弾力的に挾持するフランジ部と、
前記シャフトに遊嵌すると共に、前記フランジ部との間にスラストベアリングを介してこれらを囲繞保持して、前記フランジ部に対し滑動自在に当接配置したベアリング受と、
前記受台と前記フランジ部より若干上方位置との間に亘って前記圧縮コイルばねを跨ぐようにして、それぞれ両端部を前記シャフトに挿通配置し、前記シャフトの位置を規制するシャフト位置規制手段とからなり、
前記シャフト位置規制手段は、前記シャフトに挿通配置された前記ベアリング受と前記圧縮コイルばねとの外周を囲繞し、一端部側を前記受台に固定すると共に、他端部側を前記シャフトが貫通するように形成した円筒形囲繞部材からなり、前記円筒形囲繞部材の一側部に監視窓を設けた構成からなることを特徴とする。
【手続補正６】
【補正対象書類名】明細書
【補正対象項目名】００１９
【補正方法】変更
【補正の内容】
【００１９】
そして、本発明の請求項４に係るトルク検出器用ビット・アダプタは、トルク検出器によって検出されるように、回転締付工具の正確なトルクを得るためにトルク検出器のビット結合部に対し、回転締付工具の出力軸を介して結合することができるビット・アダプタであって、
ビット結合部との間での回転を阻止し、トルク検出器のビット結合部に結合するように対応配置された結合部を含み、雌ねじを有するねじ孔を中心位置に設けたシャフト受台と、
前記ねじ孔の雌ねじに適合する雄ねじを有し、その一端部側を前記ねじ孔に伸縮自在に結合し、他端部側を相互間での回転を阻止するように回転締付工具の出力軸と結合配置され、さらに前記一端部側と他端部側との間の軸上に位置するフランジ部を有するねじ溝付きシャフトと、
前記ねじ溝付きシャフトに対し同軸に配置され、前記フランジ部と前記シャフト受台との間を拘束保持し、前記シャフト受台とねじ結合されるねじ溝付きシャフトの回転によってシャフト受台方向への前記フランジ部の移動を圧縮可能とする圧縮コイルばねと、
前記ねじ溝付きシャフトおよび前記シャフト受台に関する圧縮コイルばねの位置決め制御のため、前記シャフト受台およびねじ溝付きシャフトのフランジ部およびその他端部側との間における位置にそれぞれ跨るシャフト位置規制手段と、から構成してなることを特徴とする。
【手続補正７】
【補正対象書類名】明細書
【補正対象項目名】００２２
【補正方法】変更
【補正の内容】
【００２２】
すなわち、図１ないし図３において、本実施例のビット・アダプタ３０は、トルク検出器２０（図６参照）に設けられたビット結合部２２（図６参照）に形成された特殊な開口形状部分に、密着嵌合する角形段部１２を一体的に備えるねじ付きシャフト受台１３と、この受台１３の中心部に設けたねじ孔１３ａにその一端部側を進退自在に螺合するように構成したねじ溝付きシャフト１４と、このシャフト１４を囲繞するようにしてこれと同心的に挿通配置される圧縮コイルばね１５と、前記シャフト１４に対して受台１３とは反対側に位置し前記受台１３と共に前記圧縮コイルばね１５を挾持するフランジ部１６とからなる基本構成を有し、このような基本構成は、前述した従来のビット・アダプタ１０と同様である。
【手続補正８】
【補正対象書類名】明細書
【補正対象項目名】００２３
【補正方法】変更
【補正の内容】
【００２３】
前記シャフト１４の他端部側には、被測定対象物である電動ドライバーやエアドライバー、その他ナットセッター等の回転締付工具の出力軸２４（図６参照）の先端部に対し、着脱自在に結合されるドライバービット等と同様に、前記ビット等の端部に形成されるチャック可能な形状からなる係止部１４ａが設けられている。このように形成されたシャフト１４に対し、前記フランジ部１６を囲繞するように形成したベアリング受１７を配設する。すなわち、このベアリング受１７は、前記シャフト１４に遊嵌すると共に、前記フランジ部１６との間に適宜ワッシャ１８およびスラストベアリング１９を介してこれらを囲繞保持し、前記フランジ部１６に対し滑動自在に当接配置する。そして、前記ベアリング受１７と前記受台１３との間に、前記シャフト１４を囲繞するように挿通された圧縮コイルばね１５を、その両端部において弾力的に圧接保持するよう構成する（図２参照）。以上の構成は、前述した従来のビット・アダプタ１０と同様である。